【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
第１の光電変換部、第２の光電変換部、第３の光電変換部、第４の光電変換部、前記第１の光電変換部の電荷を転送する第１の転送ゲート、前記第２の光電変換部の電荷を転送する第２の転送ゲート、前記第３の光電変換部の電荷を転送する第３の転送ゲート、前記第４の光電変換部の電荷を転送する第４の転送ゲート、及び増幅トランジスタをそれぞれが有する複数の画素と、
前記複数の画素のそれぞれの画素に対応して配され、前記第１の光電変換部、前記第２の光電変換部、前記第３の光電変換部、及び前記第４の光電変換部を覆うマイクロレンズと、を含み、
前記第１の光電変換部と前記第２の光電変換部とは第１の方向に沿って配され、
前記第３の光電変換部と前記第４の光電変換部とは前記第１の方向に沿って配され、
前記第１の光電変換部と前記第３の光電変換部とは前記第１の方向に交差する第２の方向に沿って配され、
前記第２の光電変換部と前記第４の光電変換部とは前記第２の方向に沿って配され、
前記第１の転送ゲート、前記第２の転送ゲート、前記第３の転送ゲート、及び前記第４の転送ゲートは、チャネル幅が前記第１の方向及び前記第２の方向のそれぞれに交差するように配され、
前記増幅トランジスタは、１つの前記マイクロレンズに覆われた、前記第１の光電変換部、前記第２の光電変換部、前記第３の光電変換部、及び前記第４の光電変換部により共有されており、
１つの前記マイクロレンズに覆われた、前記第１の光電変換部、前記第２の光電変換部、前記第３の光電変換部、及び前記第４の光電変換部は１つの活性領域に配されていることを特徴とする撮像素子。
【請求項２】
第１の光電変換部、第２の光電変換部、第３の光電変換部、第４の光電変換部、前記第１の光電変換部の電荷を転送する第１の転送ゲート、前記第２の光電変換部の電荷を転送する第２の転送ゲート、前記第３の光電変換部の電荷を転送する第３の転送ゲート、前記第４の光電変換部の電荷を転送する第４の転送ゲート、及び増幅トランジスタをそれぞれが有する複数の画素と、
前記複数の画素のそれぞれの画素に対応して配され、前記第１の光電変換部、前記第２の光電変換部、前記第３の光電変換部、及び前記第４の光電変換部を覆うマイクロレンズと、を含み、
前記第１の光電変換部と前記第２の光電変換部は第１の方向に沿って配され、前記第１の光電変換部と前記第２の光電変換部との間には絶縁部材が配されておらず、
前記第３の光電変換部と前記第４の光電変換部は前記第１の方向に沿って配され、前記第３の光電変換部と前記第４の光電変換部との間には絶縁部材が配されておらず、
前記１の光電変換部と前記第３の光電変換部は前記第１の方向に交差する第２の方向に沿って配され、前記第１の光電変換部と前記第３の光電変換部との間には絶縁部材が配されておらず、
前記２の光電変換部と前記第４の光電変換部は前記第２の方向に沿って配され、前記第２の光電変換部と前記第４の光電変換部との間には絶縁部材が配されておらず、
前記第１の転送ゲート、前記第２の転送ゲート、前記第３の転送ゲート、及び前記第４の転送ゲートは、チャネル幅が前記第１の方向及び前記第２の方向のそれぞれに交差するように配され、
前記増幅トランジスタは、１つの前記マイクロレンズに覆われた、前記第１の光電変換部、前記第２の光電変換部、前記第３の光電変換部、及び前記第４の光電変換部により共有されることを特徴とする撮像素子。
【請求項３】
前記複数の画素のそれぞれは、前記第１の光電変換部と前記第２の光電変換部とを互いに分離し、且つ、前記第３の光電変換部と前記第４の光電変換部とを互いに分離する第１の分離部を有し、
前記第１の方向における前記第１の光電変換部の長さは、前記第１の方向における前記第２の光電変換部の長さと異なり、
前記第１の方向における前記第３の光電変換部の長さは、前記第１の方向における前記第４の光電変換部の長さと異なることを特徴とする請求項１又は２に記載の撮像素子。
【請求項４】
前記複数の画素のそれぞれは、前記第１の光電変換部と前記第３の光電変換部とを互いに分離し、且つ、前記第２の光電変換部と前記第４の光電変換部とを互いに分離する第２分離部を有し、
前記第２の方向における前記第１の光電変換部の長さは、前記第２の方向における前記第３の光電変換部の長さと異なり、
前記第２の方向における前記第２の光電変換部の長さは、前記第２の方向における前記第４の光電変換部の長さと異なることを特徴とする請求項３に記載の撮像素子。
【請求項５】
前記第１の転送ゲートおよび前記第２の転送ゲートのそれぞれは前記第１の光電変換部および前記第２の光電変換部のそれぞれの角部に位置していることを特徴とする請求項１乃至４のいずれか１項に記載の撮像素子。
【請求項６】
前記第３の転送ゲートおよび前記第４の転送ゲートのそれぞれは前記第３の光電変換部および前記第４の光電変換部のそれぞれの角部に位置していることを特徴とする請求項５に記載の撮像素子。
【請求項７】
前記複数の画素は、第１の画素と第２の画素を含み、
前記第１の画素において、
前記第１の方向における前記第１の光電変換部の長さは、前記第１の方向における前記第２の光電変換部の長さよりも短く、
前記第１の方向における前記第３の光電変換部の長さは、前記第１の方向における前記第４の光電変換部の長さよりも短く、
前記第２の画素において、
前記第１の方向における前記第１の光電変換部の長さは、前記第１の方向における前記第２の光電変換部の長さよりも長く、
前記第１の方向における前記第３の光電変換部の長さは、前記第１の方向における前記第４の光電変換部の長さよりも長いことを特徴とする請求項１乃至６のいずれか１項に記載の撮像素子。
【請求項８】
前記第１の画素において、
前記第２の方向における前記第１の光電変換部の長さは、前記第２の方向における前記第３の光電変換部の長さよりも短く、
前記第２の方向における前記第２の光電変換部の長さは、前記第２の方向における前記第４の光電変換部の長さよりも短く、
前記第２の画素において、
前記第２の方向における前記第１の光電変換部の長さは、前記第２の方向における前記第３の光電変換部の長さよりも長く、
前記第２の方向における前記第２の光電変換部の長さは、前記第２の方向における前記第４の光電変換部の長さよりも長いことを特徴とする請求項７に記載の撮像素子。
【請求項９】
前記第１の光電変換部、前記第２の光電変換部、前記第３の光電変換部、前記第４の光電変換部のそれぞれは、第１導電型の半導体で形成された電荷蓄積領域を含み、
第２導電型の半導体が、前記第１の光電変換部の前記電荷蓄積領域、前記第２の光電変換部の前記電荷蓄積領域、前記第３の光電変換部の前記電荷蓄積領域、及び前記第４の光電変換部の前記電荷蓄積領域の間に配されることを特徴とする請求項１乃至８のいずれか１項に記載の撮像素子。
【請求項１０】
撮像光学系からの光束のうち分割された光束により形成された複数の像を、前記複数の光電変換部によって光電変換し、位相差検出に用いられる焦点検出信号を出力する読み出し回路を備えることを特徴とする請求項１乃至９のいずれか１項に記載の撮像素子。
【請求項１１】
請求項１乃至１０のいずれか１項に記載の撮像素子と、
前記撮像素子からの信号を処理する信号処理装置とを備えることを特徴とする撮像システム。
【手続補正２】
【補正対象書類名】明細書
【補正対象項目名】０００７
【補正方法】変更
【補正の内容】
【０００７】
本発明の一実施形態における撮像素子は、第１の光電変換部、第２の光電変換部、第３の光電変換部、第４の光電変換部、前記第１の光電変換部の電荷を転送する第１の転送ゲート、前記第２の光電変換部の電荷を転送する第２の転送ゲート、前記第３の光電変換部の電荷を転送する第３の転送ゲート、前記第４の光電変換部の電荷を転送する第４の転送ゲート、及び増幅トランジスタをそれぞれが有する複数の画素と、前記複数の画素のそれぞれの画素に対応して配され、前記第１の光電変換部、前記第２の光電変換部、前記第３の光電変換部、及び前記第４の光電変換部を覆うマイクロレンズと、を含み、前記第１の光電変換部と前記第２の光電変換部とは第１の方向に沿って配され、前記第３の光電変換部と前記第４の光電変換部とは前記第１の方向に沿って配され、前記第１の光電変換部と前記第３の光電変換部とは前記第１の方向に交差する第２の方向に沿って配され、前記第２の光電変換部と前記第４の光電変換部とは前記第２の方向に沿って配され、前記第１の転送ゲート、前記第２の転送ゲート、前記第３の転送ゲート、及び前記第４の転送ゲートは、チャネル幅が前記第１の方向及び前記第２の方向のそれぞれに交差するように配され、前記増幅トランジスタは、１つの前記マイクロレンズに覆われた、前記第１の光電変換部、前記第２の光電変換部、前記第３の光電変換部、及び前記第４の光電変換部により共有されており、１つの前記マイクロレンズに覆われた、前記第１の光電変換部、前記第２の光電変換部、前記第３の光電変換部、及び前記第４の光電変換部は１つの活性領域に配されている。
【手続補正３】
【補正対象書類名】明細書
【補正対象項目名】０００８
【補正方法】変更
【補正の内容】
【０００８】
本発明の他の実施形態における撮像素子は、第１の光電変換部、第２の光電変換部、第３の光電変換部、第４の光電変換部、前記第１の光電変換部の電荷を転送する第１の転送ゲート、前記第２の光電変換部の電荷を転送する第２の転送ゲート、前記第３の光電変換部の電荷を転送する第３の転送ゲート、前記第４の光電変換部の電荷を転送する第４の転送ゲート、及び増幅トランジスタをそれぞれが有する複数の画素と、前記複数の画素のそれぞれの画素に対応して配され、前記第１の光電変換部、前記第２の光電変換部、前記第３の光電変換部、及び前記第４の光電変換部を覆うマイクロレンズと、を含み、前記第１の光電変換部と前記第２の光電変換部は第１の方向に沿って配され、前記第１の光電変換部と前記第２の光電変換部との間には絶縁部材が配されておらず、前記第３の光電変換部と前記第４の光電変換部は前記第１の方向に沿って配され、前記第３の光電変換部と前記第４の光電変換部との間には絶縁部材が配されておらず、前記１の光電変換部と前記第３の光電変換部は前記第１の方向に交差する第２の方向に沿って配され、前記第１の光電変換部と前記第３の光電変換部との間には絶縁部材が配されておらず、前記２の光電変換部と前記第４の光電変換部は前記第２の方向に沿って配され、前記第２の光電変換部と前記第４の光電変換部との間には絶縁部材が配されておらず、前記第１の転送ゲート、前記第２の転送ゲート、前記第３の転送ゲート、及び前記第４の転送ゲートは、チャネル幅が前記第１の方向及び前記第２の方向のそれぞれに交差するように配され、前記増幅トランジスタは、１つの前記マイクロレンズに覆われた、前記第１の光電変換部、前記第２の光電変換部、前記第３の光電変換部、及び前記第４の光電変換部により共有される。